(57)【特許請求の範囲】
【請求項１】
高分子固体電解質型燃料電池に用いられるセパレータであって、
前記高分子固体電解質型燃料電池が備えるガス拡散層と接触することになる接触面に、突起が設けられており、
前記突起の底面により構成される仮想面が、幅方向の両端部から中央部に向かって凸状に湾曲した形状になっており、
前記突起の高さが、幅方向の両端部から中央部へと漸次低くなっており、各々の突起の頂点を結ぶ仮想面が略平面となっていることを特徴とする燃料電池用セパレータ。
【請求項２】
高分子固体電解質型燃料電池に用いられるセパレータであって、
前記高分子固体電解質型燃料電池が備えるガス拡散層と接触することになる接触面に、突起が設けられており、
前記突起の底面により構成される仮想面が、幅方向の両端部から中央部に向かって凹状に湾曲した形状になっており、
前記突起の高さが、幅方向の両端部から中央部へと漸次高くなっており、各々の突起の頂点を結ぶ仮想面が略平面となっていることを特徴とする燃料電池用セパレータ。
【請求項３】
前記突起の形状が、略三角錘、略四角錘又は略六角錘である請求項１又は２に記載の燃料電池用セパレータ。
【請求項４】
請求項１乃至３のうちのいずれか１項に記載の燃料電池用セパレータを備える高分子固体電解質型燃料電池であって、
高分子固体電解質層と、
前記高分子固体電解質層の両面に積層された触媒層と、
前記触媒層の表面に積層されたガス拡散層と、を有する電解質膜電極接合体を備え、
前記電解質膜電極接合体の両面に、前記燃料電池用セパレータが積層されていることを特徴とする高分子固体電解質型燃料電池。
【発明の詳細な説明】
【技術分野】
【０００１】
本発明は、燃料電池用セパレータ及びこれを備える高分子固体電解質型燃料電池に関する。更に詳しくは、本発明は、ガス拡散層との接触面積が大きい燃料電池用セパレータ、及び燃料電池用セパレータとガス拡散層との接触抵抗が小さく、通電時の損失が低減される高分子固体電解質形燃料電池に関する。
【背景技術】
【０００２】
従来、燃料電池には、燃料ガス及び酸化剤ガスの各々の流路を形成するためのセパレータが配設されており、このセパレータの一部とガス拡散層とが接触し、複数の単セル間の導通が図られ、燃料電池スタックが形成されている。セパレータは、例えば、薄いステンレス鋼シート等により形成され、ガス拡散層はカーボンペーパー等の多孔質体により形成されるが、セパレータの表面は平滑面であり、ガス拡散層の表面は多孔質面であるため、セパレータとガス拡散層とを十分に密着させ、接触させることは容易ではない。その結果、セパレータとガス拡散層との間の接触抵抗が大きくなり、通電時の損失が増大することがある。
【０００３】
前記のような燃料電池用セパレータとしては、膜／電極接合体の表裏両面に第１及び第２セパレータを重ね合わせて酸化ガス流路と燃料ガス流路を形成した高分子固体電解質型燃料電池セルを、少ない部品点数で容易に製造することができる、新規な構造の燃料電池用セパレータが知られている（例えば、特許文献１参照。）。また、プレス加工によりガス流路用の凹凸が形成された金属セパレータの塑性加工領域に細密圧痕が設けられた燃料電池用金属セパレータが知られており（例えば、特許文献２参照。）、ガスシール性等の低下を招くそりやうねりの発生が抑えられたセパレータとすることができると説明されている。
【先行技術文献】
【特許文献】
【０００４】
【特許文献１】特開２００６−４０７９０号公報
【特許文献２】特開２０００−１３８０６５号公報
【発明の概要】
【発明が解決しようとする課題】
【０００５】
特許文献１に記載されたセパレータでは、部品の共通化により作業の効率化は実現されるかもしれない。しかし、膜／電極接合体とセパレータとの接触抵抗が大きくなって、通電時の損失が増大することを抑えるという観点での検討は何らなされていない。また、特許文献２に記載されたセパレータでは、細密圧痕によりそりやうねりの発生は抑えられるかもしれない。しかし、細密圧痕は凹部として形成されており、ガス拡散層との接触面は凹部間の平滑面により構成されることになる。そのため、セパレータとガス拡散層とを十分に密着させることができず、接触抵抗が大きくなり、通電時の損失が増大することが懸念される。
【０００６】
本発明は前記の従来の状況に鑑みてなされたものであり、ガス拡散層との接触面積が大きい燃料電池用セパレータ（以下、「セパレータ」ということもある。）、及びセパレータとガス拡散層との接触抵抗が小さく、通電時の損失が低減される高分子固体電解質型燃料電池（以下、「燃料電池」ということもある。）を提供することを課題とする。
【課題を解決するための手段】
【０００７】
本発明は以下のとおりである。
１．高分子固体電解質型燃料電池に用いられるセパレータであって、
前記高分子固体電解質型燃料電池が備えるガス拡散層と接触することになる接触面に、突起が設けられており、
前記突起の底面により構成される仮想面が、幅方向の両端部から中央部に向かって凸状に湾曲した形状になっており、
前記突起の高さが、幅方向の両端部から中央部へと漸次低くなっており、各々の突起の頂点を結ぶ仮想面が略平面となっていることを特徴とする燃料電池用セパレータ。
２．高分子固体電解質型燃料電池に用いられるセパレータであって、
前記高分子固体電解質型燃料電池が備えるガス拡散層と接触することになる接触面に、突起が設けられており、
前記突起の底面により構成される仮想面が、幅方向の両端部から中央部に向かって凹状に湾曲した形状になっており、
前記突起の高さが、幅方向の両端部から中央部へと漸次高くなっており、各々の突起の頂点を結ぶ仮想面が略平面となっていることを特徴とする燃料電池用セパレータ。
３．前記突起の形状が、略三角錘、略四角錘又は略六角錘である前記１．又は２．に記載の燃料電池用セパレータ。
４．前記１．乃至３．のうちのいずれか１項に記載の燃料電池用セパレータを備える高分子固体電解質型燃料電池であって、
高分子固体電解質層と、
前記高分子固体電解質層の両面に積層された触媒層と、
前記触媒層の表面に積層されたガス拡散層と、を有する電解質膜電極接合体を備え、
前記電解質膜電極接合体の両面に、前記燃料電池用セパレータが積層されていることを特徴とする高分子固体電解質型燃料電池。
【発明の効果】
【０００８】
本発明の燃料電池用セパレータでは、ガス拡散層と接触することになる接触面に、突起が設けられており、セパレータがガス拡散層と接触したときに、両部材をより密着させることができ、セパレータとガス拡散層とを十分な面積で接触させることができる。そのため、接触抵抗が小さくなり、通電時の損失が低減される。例えば、突起を設けないときと比べて接触面積を２倍程度に増大させることができ、その結果、接触抵抗を１／２程度に減少させることができ、通電時の損失が大きく低減される。
また、突起の形状が、略三角錘、略四角錘又は略六角錘である場合は、接触面の全面に略多角錐からなる突起を設けることができるため、突起とガス拡散層とを特に大面積で接触させることができ、接触抵抗が特に小さく、通電時の損失がより一層低減される。
【０００９】
本発明の高分子固体電解質型燃料電池は、本発明のセパレータを備えており、セパレータとガス拡散層との間の接触抵抗が小さく、通電時の損失が低減され、優れた発電性能を有するとともに、発電性能が安定している。
【図面の簡単な説明】
【００１０】
【図１】本発明の高分子固体電解質型燃料電池であり、複数の単セルが積層されてなるスタック構造を有する燃料電池の横断面の模式図である。
【図２】図１の燃料電池の、電解質膜電極接合体の両面にセパレータが積層された構造の一部を拡大した模式図である。
【図３】図２における電解質膜電極接合体の高分子固体電解質層及びガス拡散層とセパレータの各々の一部を拡大した模式図である。
【図４】接触面の全面に四角錐からなる突起が設けられたセパレータの一部の斜視図である。
【図５】（ａ）は、接触面の長さ方向に溝状の突起が設けられたセパレータの一部の斜視図、（ｂ）は、接触面の幅方向に溝状の突起が設けられたセパレータの一部の斜視図、及び（ｃ）は、接触面に斜め方向の溝状の突起が設けられたセパレータの一部の斜視図である。
【図６】（ａ）は、プレス成形により作製され、接触面を構成する成形壁が幅方向の端部から中央部に向かって凸状に湾曲しており、この湾曲面に略同じ高さの突起が設けられたセパレータの一部を拡大した模式図、（ｂ）は、各々の突起の頂点を結ぶ仮想面が略平面となるように、湾曲面に設けられた突起の高さが端部から中央部へと漸次低くなるように調整されたセパレータの一部を拡大した模式図である。
【図７】接触面がガス拡散層に強く押圧されたとき、成形壁が幅方向の端部から中央部に向かって凹状に湾曲し、この湾曲面に略同じ高さの突起が設けられたセパレータの一部を拡大した模式図、（ｂ）は、各々の突起の頂点を結ぶ仮想面が略平面となるように、湾曲面に設けられた突起の高さが端部から中央部へと漸次高くなるように調整されたセパレータの一部を拡大した模式図である。
【発明を実施するための形態】
【００１１】
以下、本発明の実施の形態を図１〜７を参照しながら説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
［１］燃料電池用セパレータ
本発明の燃料電池用セパレータ（図１〜３等の燃料電池用セパレータ１参照）は、高分子固体電解質型燃料電池（図１の高分子固体電解質型燃料電池１００参照）が備えるガス拡散層（図１〜３のガス拡散層２ｃ参照）と接触することになる接触面（図３の接触面１１参照）に、突起（図３〜７の突起１１ａ〜１１ｆ参照）が設けられている。
尚、セパレータ１の接触面１１と、ガス拡散層２ｃの表面とを接触させるときは、これらが略平行面となるような配置で接触させることになる。
【００１３】
前記「燃料電池用セパレータ１」は、その一部（接触面３）がガス拡散層２ｃに接触し、ガス拡散層２ｃとの間に燃料ガス流路（図１の燃料ガス流路１ａ参照）となる空間、及び酸化剤ガス流路（図１の酸化剤ガス流路１ｂ参照）となる空間が形成される。また、ガス拡散層２ｃは多孔質体であるため、燃料ガス及び酸化剤ガスは、セパレータ１とガス拡散層２ｃとの接触面１１にも拡散され、侵入する。更に、燃料電池１００は、通常、図１の燃料電池１００のように、複数の単セルの各々が有するセパレータ１を介して積層され、それぞれの単セルが有するセパレータ１とガス拡散層２ｃとにより導通されて燃料電池スタックが形成される。
【００１４】
前記「接触面１１」は、セパレータ１のうちのガス拡散層２ｃに接触する面であり、この面に突起１１ａ〜１１ｆ（以下、「突起１１ａ等」と記載する。）が設けられている。この突起１１ａ等の形状、寸法、個数は、接触抵抗が小さくなり、通電時の損失が低減される限り、特に限定されない。突起１１ａ等の形状としては、略多角錐、略円錐、略楕円錘等が挙げられ、帯状の突起［図５（ａ）の接触面１１の長さ方向に設けられた帯状突起１１ｂ、（ｂ）の接触面１１の幅方向に設けられた帯状突起１１ｃ、（ｃ）の接触面１１に斜め方向に設けられた帯状突起１１ｄ参照）であってもよい。これらの各種の突起１１ａ等のうちでは、略多角錐、略円錐、略楕円錘の突起が好ましく、略多角錐の突起がより好ましい。
【００１５】
また、略多角錐の突起のうちでは、略三角錘、略四角錘（図４の突起１１ａ参照）又は略六角錘の突起１１ａ等であることが特に好ましい。底面が三角形、四角形又は六角形である多角錐からなる突起１１ａ等であれば、セパレータ１の接触面１１の全面に突起を設けることができる、即ち、平滑部分のない接触面１１とすることができる。このようなセパレータ１であれば、接触面１１とガス拡散層２ｃとを十分に密着させることができ、接触抵抗がより小さくなり、通電時の損失をより低減させることができる。尚、略多角錐の突起のうちの接触面１１の全面に設けることができない形状、及び略円錐、略楕円錘等の突起であるときは、各々の突起１１ａ等の底面の外周線が接するように可能な限り密に配置させることが好ましい。
【００１６】
突起１１ａ等の寸法も特に限定されないが、高さは０．０１〜０．１ｍｍとすることができ、特に０．０１〜０．０５ｍｍであることが好ましい。更に、突起１１ａ等は、前記のように、各々の突起１１ａ等の底面の外周線が接するように密に配置させることが好ましく、この場合、ピッチは０．０１〜０．１ｍｍとすることができ、特に０．０１〜０．０５ｍｍであることが好ましい。突起１１ａ等の高さが０．０１〜０．１ｍｍであり、ピッチが０．０１〜０．１ｍｍであれば、セパレータ１の接触面１１と、ガス拡散層２ｃとをより十分に密着させることができる。
【００１７】
突起１１ａ等の高さ（ｈ）と、セパレータ１のうちの接触面１１を有する部分の突起１１ａ等を含む全厚さ（ｔ）との比（ｈ／ｔ）も特に限定されない。この比（ｈ／ｔ）は０．００１〜０．８とすることができ、０．０１〜０．５であることが好ましい。比（ｈ／ｔ）が０．００１〜０．８であれば、セパレータ１とガス拡散層２ｃとを密着させることができるとともに、容易に破損することのない十分な引裂強度等を有するセパレータ１とすることができる。
【００１８】
突起１１ａ等の個数は複数個である。実用上、十分な接触面積とするために複数の突起１１ａ等が設けられる。また、複数個設けられる各々の突起１１ａ等は、前記のように、微細であり、この微細な突起１１ａ等が極めて多数個設けられることがより好ましい。
【００１９】
更に、前記のように、突起１１ａ等は、複数個設けられるが、より多くの突起１１ａ等とガス拡散層２ｃとを十分に密着させるために、各々の突起１１ａ等の頂点を結ぶ仮想面は略平面である。このように略平面とされたセパレータ１の接触面１１を、接触面１１とガス拡散層１ｃの表面とが略平行面となるようにして接触させることによって、より高い突起１１ａ等のみがガス拡散層２ｃに密着し、高さの小さい突起１１ａ等は密着しない、又はガス拡散層２ｃと接触すらしないという問題が生じることが防止される。
【００２０】
前記のように、各々の突起１１ａ等の頂点を結ぶ仮想面が略平面となる形態としては下記の各種の形態が挙げられる。
【００２１】
（１）セパレータ１をプレス成形法により成形した場合、成形壁は、通常、幅方向の端部から中央部に向かって凸状に湾曲した形状になる。そのため、この成形壁の表面（接触面１１）に同じ高さの突起１１ａを設けたのでは、各々の突起１１ａの頂点も中央部が高くなってしまい、頂点を結ぶ仮想面は略平面にならない［図６（ａ）参照］。この場合、突起１１ａの高さを、幅方向の端部から中央部へと漸次低くすることにより［図６（ｂ）の突起１１ｅ参照］、各々の突起１１ｅの頂点を結ぶ仮想面を略平面Ｐとすることができる。
【００２２】
（２）成形壁が平坦であるとき、及び前記（１）のように、成形壁が幅方向の端部から中央部に向かって凸状に湾曲した形状であるとき、のいずれの場合も、接触面１１がガス拡散層２ｃに強く押圧されたときは、成形壁が幅方向の端部から中央部に向かって凹状に湾曲した形状になることがある。そのため、この成形壁の表面（接触面１１）に同じ高さの突起１１ａを設けたのでは、各々の突起１１ａの頂点も中央部が低くなってしまい頂点を結ぶ仮想面は略平面にならない［図７（ａ）参照］。このようなことが予め想定される場合は、突起１１ａの高さを、幅方向の端部から中央部へと漸次高くすることにより［図７（ｂ）の突起１１ｆ参照］、各々の突起１１ｆの頂点を結ぶ仮想面を略平面Ｐとすることができる。
【００２３】
また、突起１１ａ等を設ける方法は特に限定されず、例えば、セパレータ１をプレス成形法により成形する場合、型面に突起１１ａ等となる凹部が形成された成形型を用いて突起１１ａ等を設けることができる。また、プレス成形法により突起１１ａ等を設けることが容易ではないときは、プレス成形後、鍛造、切削等の方法により設けることができる。これらの方法のうちでは、２工程になってしまうものの、成形後、鍛造等によって突起を設ける方法が一般的である。
【００２４】
セパレータ１の材質も特に限定されず、各種の金属等を所定形状に成形したセパレータ１を用いることができる。金属としては、例えば、ステンレス鋼及び純チタン又はチタン合金等が挙げられる。ステンレス鋼としては、Ｆｅの他，Ｃｒ，Ｎｉ、Ｍｏ等のうちの少なくとも１種の金属元素が含有されるステンレス鋼を用いることができる。また、これらの金属元素を含有するステンレス鋼としては、オーステナイト系、オーステナイト・フェライト系、析出硬化系などの各種のステンレス鋼が挙げられる。これらのうちでは、オーステナイト系ステンレス鋼が好ましく、このオーステナイト系ステンレス鋼としては、例えば、ＪＩＳ規格に規定されたＳＵＳ３０４、ＳＵＳ３１０Ｓ、ＳＵＳ３１６Ｌ、ＳＵＳ３１７Ｊ１、ＳＵＳ３１７Ｊ２、ＳＵＳ３２１、ＳＵＳ３２９Ｊ１、ＳＵＳ８３６などが挙げられる。
【００２５】
また、チタンを主成分として含有するチタン合金としては、Ｔｉと、Ａｌ、Ｃｕ、Ｆｅ、Ｍｎ、Ｍｄ等の金属元素のうちの少なくとも１種とを含有するチタン合金を用いることができる。チタン及びチタン合金は、強度が大きく、軽量であり、且つ表面に安定な不動態皮膜が形成されるため、優れた耐食性を有し、セパレータ１の材質として好ましい。更に、ＴｉとＴａとの合金、ＴｉとＰｄとの合金のように、より耐食性の高いチタン合金を用いることもできる。
【００２６】
［２］高分子固体電解質形燃料電池
本発明の高分子固体電解質型燃料電池（図１の燃料電池１００参照）は、高分子固体電解質層（図１の高分子電解質層２ａ参照）と、高分子固体電解質層２ａの両面に積層された触媒層（図１〜３の触媒層２ｂ参照）と、触媒層２ｂの表面に積層されたガス拡散層（図１〜３のガス拡散層２ｃ参照）と、を有する電解質膜電極接合体（図１の電解質膜電極接合体２参照）を備え、この電解質膜電極接合体２の両面に、本発明の燃料電池用セパレータ１が積層されている。
【００２７】
図１の高分子固体電解質形燃料電池１００は、高分子固体電解質層１０２ａと、その両面に積層された触媒層２ｂと、各々の触媒層２ｂの表面に積層されたガス拡散層２ｃとを有する電解質膜電極接合体２の両面に、セパレータ１が配設されてなる単セルを備え、複数の単セルが積層されてなるスタック構造を有する。また、この燃料電池スタックでは、複数の単セルが積層されてなる積層体の両端面に、集電層、絶縁層及びエンドプレート等が順次配設され、且つ全体がタイロッドで締め付けられ、タイロッドの端部に螺合されたナットにより一体に固定されている。
【００２８】
また、電解質膜電極接合体２を構成する一方の側のガス拡散層２ｃの表面と、このガス拡散層２ｃに積層されたセパレータ１の内表面とにより形成される空間が、燃料ガスを流通させるための燃料ガス流路１ａとなる。更に、他方の側のガス拡散層２ｃの表面と、このガス拡散層２ｃに積層されたセパレータ１の内表面とにより形成される空間が、酸化剤ガスを流通させるための酸化剤ガス流路１ｂとなる。
【００２９】
上記のような構成の燃料電池スタックでは、燃料ガスは、燃料ガス導入口より導入されて燃料ガス流路１ａを流通し、ガス拡散層２ｃにより拡散され、触媒層２ｂ及び高分子固体電解質層２ａと接触して発電に供され、残部は燃料ガス排出口より排出される。一方、酸化剤ガスは、酸化剤ガス導入口より導入されて酸化剤ガス流路１ｂを流通し、ガス拡散層２ｃにより拡散され、触媒層２ｂ及び高分子固体電解質層２ａと接触して発電に供され、残部は酸化剤ガス排出口より排出される。また、燃料電池スタックは、運転にともなって発熱するため冷却する必要があり、冷媒、通常は冷却水が流通する冷却水流路１ｃが設けられる。
【００３０】
冷却水流路１ｃは、別部材を用いて設けてもよいが、特にその必要はない。例えば、互いに隣り合う単セルのうちの一方が有する燃料ガス流路１ａを形成するセパレータ１と、他方が有する酸化剤ガス流路１ｂを形成するセパレータ１との間の空間を冷却水流路１ｃとして利用することができる（図１の冷却水流路１ｃ参照）。
【００３１】
更に、固体高分子電解質層２ａ及びセパレータ１は、各々の両端部が、触媒層２ｂ及びガス拡散層２ｃより外方に突出しており、固体高分子電解質層２ａの突出部と、セパレータ１の突出部との間には、燃料ガス及び酸化剤ガスの漏出を防止するためのガスシール材３ａが介装されている。また、隣り合うセパレータ１のそれぞれの突出部の間には、冷却水の漏出を防止するための冷却水シール材３ｂが介装されている。
【００３２】
高分子固体電解質層２ａの材質は特に限定されないが、例えば、プロトン伝導性を有するスルホン基含有フッ素系樹脂等が用いられることが多い。また、触媒層２ｂの材質も特に限定されず、通常、カーボン繊維、カーボン粉末等のカーボン材料を用いてなる担体に、白金触媒、ルテニウム／白金合金触媒等の金属触媒が担持された触媒層２ｂが用いられる。これらの触媒層２ｂは、一方が燃料ガスと接触してアノード側の電極として機能し、他方が酸化剤ガスと接触してカソード側の電極として機能する。更に、通気性と電子伝導性とを併せて有する必要があるガス拡散層２ｃとしては、カーボン繊維を用いてなる不織布（カーボンペーパー）及び織布（カーボンクロス）等が用いられることが多い。
【００３３】
燃料電池１００を用いて発電させる場合に、燃料極側に導入される燃料ガスとしては、水素源となる炭化水素、水素と炭化水素との混合ガス、及びこれらのガスを所定温度の水中を通過させる等の方法で水蒸気を混合させた燃料ガス等を用いることができる。炭化水素は特に限定されず、例えば、天然ガス、ナフサ、石炭ガス化ガス等が挙げられる。更に、メタン、エタン、プロパン、ブタン及びペンタン等の飽和炭化水素、並びにエチレン及びプロピレン等の不飽和炭化水素を主成分とするものが好ましく、飽和炭化水素を主成分とするものがより好ましい。これらの燃料ガスは１種のみを用いてもよいし、２種以上を併用することもできる。また、窒素ガス及びアルゴン等の不活性ガスが含有されていてもよい。
【００３４】
一方、酸化剤ガスとしては、安全であって、且つ安価である空気（約８０体積％の窒素が含まれている。）を用いることができ、この空気の他、酸素及び酸素と他の気体とを混合したガス等を用いることができる。また、この混合ガスには８０体積％以下の窒素ガス及びアルゴン等の不活性ガスが含有されていてもよい。
【００３５】
尚、前述の記載は単に説明を目的とするものでしかなく、本発明を限定するものと解釈されるものではない。本発明を典型的な実施態様を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３６】
本発明は、高分子固体電解質型燃料電池の技術分野で利用することができる。また、ガス拡散層との接触面を特定の形状とすることにより、接触抵抗が小さく、優れた発電性能を有する燃料電池とすることができる燃料電池用セパレータの技術分野において特に有用である。
【符号の説明】
【００３７】
１００；高分子固体電解質形燃料電池スタック、１；燃料電池用セパレータ、１ａ；燃料ガス流路、１ｂ；酸化剤ガス流路、１ｃ；冷却水流路、１１；接触面、１１ａ〜１１ｆ；突起、２；電解質膜電極接合体、２ａ；高分子固体電解質層、２ｂ；触媒層、２ｃ；ガス拡散層、３ａ；ガスシール材、３ｂ；冷却水シール材。
【図１】
0005500096.tif 000002
【図２】
0005500096.tif 000003
【図３】
0005500096.tif 000004
【図４】
0005500096.tif 000005
【図５】
0005500096.tif 000006
【図６】
0005500096.tif 000007
【図７】
0005500096.tif 000008